(57)【要約】【課題】水などの液体や塵埃がスリット部から掃除機本体の内部に不意に侵入した場合であっても、スリット部から掃除機本体の内部に侵入した水などの液体や塵埃が電気部品に接触することがなく、掃除機本体の電気的不具合を十分に防止することができる電気掃除機の提供。【解決手段】電動送風機と集塵部とを有する掃除機本体と、掃除機本体の外郭に設けられたスリット部と、スリット部に沿ってスライドするとともに、電動送風機の回転数を制御する調節部と、掃除機本体内のスリット部の下方に設けられており、調節部の動作に連動して電動送風機の回転数を制御する電気部品で構成された制御部と、を備え、スリット部と制御部との間には、スリット部の幅よりも大きな幅を有する溝部が設けられており、溝部は、スリット部に対向して設けられているとともに、スリット部と平行に設けられている電気掃除機。【選択図】図３
2012187340.tif 000002
【特許請求の範囲】
【請求項１】
吸引風を発生させる電動送風機と、前記電動送風機の前方に設けられており、前記吸引風によって吸引された塵埃を捕集する集塵部とを有する掃除機本体と、前記掃除機本体の外郭に設けられたスリット部と、前記掃除機本体の外郭に配置されており、前記スリット部に沿ってスライドするとともに、前記電動送風機の回転数を制御する調節部と、前記掃除機本体内の前記スリット部の下方に設けられており、前記調節部の動作に連動して前記電動送風機の回転数を制御する電気部品で構成された制御部と、を備え、前記スリット部と前記制御部との間には、前記スリット部の幅よりも大きな幅を有する溝部が設けられており、前記溝部は、前記スリット部に対向して設けられているとともに、前記スリット部と平行に設けられている電気掃除機。
【請求項２】
前記スリット部には、前記スリット部から前記掃除機本体の内側に向かって伸びるガイド部が設けられている請求項１に記載の電気掃除機。
【請求項３】
前記スリット部と前記溝部との間には、前記調節部の動作を前記制御部に伝達する伝達部が設けられており、前記伝達部には、前記溝部と係合する係合リブが設けられている請求項１または２に記載の電気掃除機。
【請求項４】
前記溝部は、前記溝部の少なくとの一方の端部の高さが前記溝部の中央部の高さよりも低くなるように形成されている請求項１〜３のうちの何れか１項に記載の電気掃除機。
【発明の詳細な説明】
【技術分野】
【０００１】
本発明は、電気掃除機に関する。
【背景技術】
【０００２】
従来、この種の電気掃除機においては、使用者の使い勝手を向上すべく、掃除機本体に電動送風機に入力される電力を制御するスライド式のスライド摘まみを設けた構成が提案されている（例えば、特許文献１参照）。
【０００３】
すなわち、図９に示すように、従来の電気掃除機（図示せず）の掃除機本体２００は、本体下部ケース２０１と、この本体下部ケース２０１の後方部分を覆う本体上部ケース２０２と、本体下部ケース２０１の前方部分を覆うとともに開閉自在に取り付けられた塵ケース２０３とから構成されている。また、掃除機本体２００の後方には、負圧を発生する電動送風機２０４を内蔵する送風機室２０５が形成されている。さらに、掃除機本体２００の前方には、電動送風機２０４により吸引された塵埃を捕集する集塵袋２０６が配置される集塵室２０７が形成されている。
【０００４】
掃除機本体２００の内部には、電動送風機２０４に入力される電力を制御するための制御回路２０８が配置されている。この制御回路２０８の可変抵抗器２０９は、電動送風機２０４の前上方に配置されている。また、可変抵抗器２０９の上方には、使用者が掃除機本体２００の外部から可変抵抗器２０９を操作するためのスライド摘まみ２１０が本体上部ケース２０２に摺動自在に設けられており、このスライド摘まみ２１０の末端部には可変抵抗器２０９の抵抗値を変化させるための可変抵抗器２０９のスライダ部（図示せず）が取り付けられている。
【０００５】
このような構成において、使用者がスライド摘まみ２１０を操作すると、スライダ部（図示せず）がスライダ摘まみ２１０と一体となって移動するとともに、可変抵抗器２０９の抵抗値が変化し、制御回路２０８から電動送風機２０４に入力される電力が制御される。
【先行技術文献】
【特許文献】
【０００６】
【特許文献１】特開平９−２３８８７４号公報
【発明の概要】
【発明が解決しようとする課題】
【０００７】
しかしながら、上記従来の電気掃除機においては、掃除機本体の電気的不具合を十分に防止するという観点からは未だ改善の余地があった。
【０００８】
すなわち、上記従来の電気掃除機においては、掃除機本体の本体上ケースに設けられたスライド摘まみを摺動させるためのスリットを本体上部ケースに設ける必要がある。このスリットは掃除機本体の外郭を形成する本体上部ケースに設けられているため、スリットから水などの液体や塵埃が掃除機本体の内部に不意に侵入する場合がある。上記従来の電気掃除機においては、スリットの下方に可変抵抗器が配置されているため、スリットから掃除機本体の内部に不意に侵入した水などの液体や塵埃が可変抵抗器に接触し、可変抵抗器や制御回路等の電気部品が機能不全に繋がる場合があり、掃除機本体で電気的不具合が生じる場合があった。
【０００９】
本発明は、上記従来技術の有する課題に鑑みてなされたものであり、水などの液体や塵埃がスリットから掃除機本体の内部に不意に侵入した場合であっても、スリットから掃除機本体の内部に侵入した水などの液体や塵埃が可変抵抗器や制御回路等の電気部品に接触することがなく、電気部品が機能不全になることを十分に防止でき、掃除機本体の電気的不具合を十分に防止することができる電気掃除機を提供することを目的とする。
【課題を解決するための手段】
【００１０】
上記従来技術の有する課題を解決するために、本発明は、吸引風を発生させる電動送風機と、電動送風機の前方に設けられており、吸引風によって吸引された塵埃を捕集する集塵部とを有する掃除機本体と、掃除機本体の外郭に設けられたスリット部と、掃除機本体の外郭に配置されており、スリット部に沿ってスライドするとともに、電動送風機の回転数を制御する調節部と、掃除機本体内のスリット部の下方に設けられており、調節部の動作に連動して電動送風機の回転数を制御する電気部品で構成された制御部と、を備え、スリット部と制御部との間には、スリット部の幅よりも大きな幅を有する溝部が設けられており、溝部は、スリット部に対向して設けられているとともに、スリット部と平行に設けられている電気掃除機を提供する。
【００１１】
上述のように、本発明の電気掃除機は、スリット部とスリット部の下方に配置された制御部との間に、スリット部の幅よりも大きな幅を有する溝部を形成し、この溝部を、スリット部に対向して設けるとともに、スリット部と平行に設けたものである。
【００１２】
これにより、水などの液体や塵埃がスリット部から掃除機本体の内部に侵入した場合であっても、スリット部から掃除機本体の内部に侵入した水などの液体や塵埃を溝部によって受け止めることができため、スリット部から掃除機本体の内部に侵入した水などの液体や塵埃が溝部以外の部位に侵入することを十分に防止することができる。そのため、スリット部から掃除機本体の内部に侵入した水などの液体や塵埃が電気部品で構成された制御部に到達することを十分に防止することができるため、電気部品で構成された制御部が機能不全になることを十分に防止することができ、掃除機本体の電気的不具合を十分に防止することができる。
【発明の効果】
【００１３】
本発明の電気掃除機によれば、スリット部から掃除機本体の内部に侵入した水などの液体や塵埃が電気部品で構成された制御部に到達することを十分に防止することができ、電気部品で構成された制御部が機能不全になることを十分に防止することができるとともに、掃除機本体の電気的不具合を十分に防止することができるようになる。
【図面の簡単な説明】
【００１４】
【図１】本発明の電気掃除機の実施の形態１を示す全体図
【図２】本発明の電気掃除機の実施の形態１における掃除機本体を示す斜視図
【図３】本発明の電気掃除機の実施の形態１における掃除機本体の断面図
【図４】（ａ）本発明の電気掃除機の実施の形態１における調節部、伝達部、及び制御部を示す拡大断面図、（ｂ）本発明の電気掃除機の実施の形態１における調節部を示す拡大断面図
【図５】本発明の電気掃除機の実施の形態１における調節部、伝達部、及び制御部の伝達構成を示す斜視図
【図６】本発明の電気掃除機の実施の形態１における溝部を示す斜視図
【図７】（ａ）本発明の電気掃除機の実施の形態１における調節部が中央部にある場合の伝達部の状態を示す上面図、（ｂ）本発明の電気掃除機の実施の形態１における調節部が端部にある場合の伝達部の状態を示す上面図
【図８】（ａ）本発明の電気掃除機の実施の形態１における調節部が中央部にある場合の溝部の状態を示す断面図、（ｂ）本発明の電気掃除機の実施の形態１における調節部が端部にある場合の溝部の状態を示す断面図
【図９】従来の電気掃除機を示す断面図
【発明を実施するための形態】
【００１５】
第１の発明は、吸引風を発生させる電動送風機と、電動送風機の前方に設けられており、吸引風によって吸引された塵埃を捕集する集塵部とを有する掃除機本体と、掃除機本体の外郭に設けられたスリット部と、掃除機本体の外郭に配置されており、スリット部に沿ってスライドするとともに、電動送風機の回転数を制御する調節部と、掃除機本体内のスリット部の下方に設けられており、調節部の動作に連動して電動送風機の回転数を制御する電気部品で構成された制御部と、を備え、スリット部と制御部との間には、スリット部の幅よりも大きな幅を有する溝部が設けられており、溝部は、スリット部に対向して設けられているとともに、スリット部と平行に設けられている電気掃除機としたものである。
【００１６】
これにより、水などの液体や塵埃がスリット部から掃除機本体の内部に侵入した場合であっても、スリット部から掃除機本体の内部に侵入した水などの液体や塵埃を溝部によって受け止めることができため、スリット部から掃除機本体の内部に侵入した水などの液体や塵埃が溝部以外の部位に侵入することを十分に防止することができる。そのため、スリット部から掃除機本体の内部に侵入した水などの液体や塵埃が電気部品で構成された制御部に到達することを十分に防止することができるため、電気部品で構成された制御部が機能不全になることを十分に防止することができ、掃除機本体の電気的不具合を十分に防止することができる。
【００１７】
第２の発明は、特に、第１の発明において、スリット部には、スリット部から掃除機本体の内側に向かって伸びるガイド部が設けられている構成としたものである。
【００１８】
これにより、スリット部から掃除機本体の内部に侵入した水などの液体や塵埃をスリット部に設けられたガイド部によって確実に溝部に導くことができるため、スリット部から掃除機本体の内部に侵入した水などの液体や塵埃が溝部以外の部位に侵入することを十分に防止することができる。そのため、スリット部から掃除機本体の内部に侵入した水などの液体や塵埃が電気部品で構成された制御部に到達することをさらに十分に防止することができるため、電気部品で構成された制御部が機能不全になることをさらに十分に防止することができ、掃除機本体の電気的不具合をさらに十分に防止することができる。
【００１９】
第３の発明は、特に、第１または第２の発明において、スリット部と溝部との間には、調節部の動作を制御部に伝達する伝達部が設けられており、伝達部には、溝部と係合する係合リブが設けられている構成としたものである。
【００２０】
これにより、使用者が調節部をスライド操作することで、溝部に堆積した水などの液体や塵埃を伝達部に設けられた係合リブによって調節部の可動範囲外に押し出すことができ、スリット部から掃除機本体の内部に侵入した水などの液体や塵埃が電気部品で構成された制御部に到達することをさらに十分に防止することができる。また、使用者が調節部をスライド操作する度に、溝部に堆積した水などの液体や塵埃を伝達部に設けられた係合リブによって調節部の可動範囲外に押し出すことができるため、複数回に亘って水などの液体や塵埃がスリット部から掃除機本体内に侵入した場合であっても、溝部に堆積した水などの液体や塵埃が溝部から溢れ出ることがなく、溝部以外の部位に侵入することをさらに十分に防止することができる。そのため、スリット部から掃除機本体の内部に侵入した水などの液体や塵埃が電気部品で構成された制御部に到達することをさらに十分に防止することができ、電気部品で構成された制御部が機能不全になることをさらに十分に防止することができるとともに、掃除機本体の電気的不具合をさらに十分に防止することができる。
【００２１】
第４の発明は、特に、第１〜第３の発明において、溝部は、溝部の少なくとの一方の端部の高さが溝部の中央部の高さよりも低くなるように形成されている構成としたものである。
【００２２】
これにより、特に、スリット部から掃除機本体の内部に水などの液体が侵入した場合おいて、溝部の少なくとの一方の端部の高さが溝部の中央部の高さよりも低くなるように形成されているため、スリット部から掃除機本体の内部に浸入した水などの液体は自然と溝部の端部側へと導かれる。そのため、スリット部から掃除機本体の内部に浸入した水などの液体を調節部の可動範囲外に押し出すことができ、スリット部から掃除機本体の内部に侵入した水などの液体が電気部品で構成された制御部に到達することをさらに十分に防止することができ、電気部品で構成された制御部が機能不全になることをさらに十分に防止することができるとともに、掃除機本体の電気的不具合をさらに十分に防止することができる。
【００２３】
以下、図面を参照しながら本発明の電気掃除機の好適な実施形態について詳細に説明する。なお、以下の説明では、同一または相当部分には同一符号付し、重複する説明は省略する。
【００２４】
（実施の形態１）
本発明の電気掃除機の実施の形態１について、図１〜図６を用いて説明する。
【００２５】
図１は、本発明の電気掃除機の実施の形態１を示す全体図である。また、図２は、本発明の電気掃除機の実施の形態１における掃除機本体を示す斜視図である。さらに、図３は、本発明の電気掃除機の実施の形態１における掃除機本体の断面図である。また、図４（ａ）は、本発明の電気掃除機の実施の形態１における調節部、伝達部、及び制御部を示す拡大断面図、図４（ｂ）本発明の電気掃除機の実施の形態１における調節部を示す拡大断面図である。さらに、図５は、本発明の電気掃除機の実施の形態１における調節部、伝達部、及び制御部の伝達構成を示す斜視図である。また、図６は、本発明の電気掃除機の実施の形態１における溝部を示す斜視図である。さらに、図７（ａ）は、本発明の電気掃除機の実施の形態１における調節部が中央部にある場合の伝達部の状態を示す上面図、図７（ｂ）本発明の電気掃除機の実施の形態１における調節部が端部にある場合の伝達部の状態を示す上面図である。また、図８（ａ）は、本発明の電気掃除機の実施の形態１における調節部が中央部にある場合の溝部の状態を示す断面図、図８（ｂ）は、本発明の電気掃除機の実施の形態１における調節部が端部にある場合の溝部の状態を示す断面図である。
【００２６】
図１に示すように、電気掃除機１００は、吸引風を発生する電動送風機１２（図２参照）と、電動送風機１２（図２参照）の前方に設けられており、吸引風によって吸引された塵埃を捕集する集塵部（図示せず）を有する掃除機本体１と、被清掃面の塵埃を捕集する吸込具２と、一端が吸込具２に着脱自在に接続される伸縮自在または継ぎ自在の延長管３と、一端が延長管３の他端に着脱自在に接続され、他端が掃除機本体１の上面に設けられた吸気口１ａに着脱自在に接続されるホース４とから構成されている。
【００２７】
ホース４の掃除機本体１側の端部には、掃除機本体１の吸気口１ａに着脱自在に接続される接続パイプ５が設けられている。また、ホース４の延長管３側の端部には、電気掃除機１００を使用する際に使用者が保持ずる手元保持部６が設けられており、ホース４は、手元保持部６を介して延長管３と着脱自在に接続されている。
【００２８】
図１及び図２に示すように、掃除機本体１の後方の両側には、走行用の車輪７が配置さ
れている。また、掃除機本体１の下面の前部には、走行用のキャスター８が配置されている。そして、この車輪７及びキャスター８は、掃除機本体１に回動自在に軸支されている。
【００２９】
図２及び図３に示すように、掃除機本体１は、主として、掃除機本体１の下面を形成する本体下ケース９と、本体下ケース９の後方の上部を覆うとともに、後述する電動送風機室１３の上面を形成する本体上ケース１０と、本体下ケース９の前方の上部を覆うとともに、後述する集塵室１８の上面を形成する蓋体１１とから構成されており、蓋体１１は本体上ケース１０に回動自在に軸支されている。また、蓋体１１には、ホース４が着脱自在に接続される吸気口１ａが設けられている。さらに、掃除機本体１の外郭を形成する本体上ケース１０の上面の後部には、後述する電動送風機１２から排出された排気風を掃除機本体１の外部へと排出する排気口１０ａが設けられている。
【００３０】
掃除機本体１の後部には、吸引風を発生させる電動送風機１２を内蔵する電動送風機室１３が配置されている。電動送風機１２の前部及び後部には、軟質材で構成された前部保持部材１４及び後部保持部材１５が設けられている。また、電動送風機１２の外周には、電動送風機１２の外周を覆う電動送風機収納ケース１６が設けられており、この電動送風機収納ケース１６は、左右または上下に二分割されて構成されている。電動送風機１２は、前部保持部材１４及び後部保持部材１５が電動送風機収納ケース１６によって保持された状態で電動送風機室１３内に配置されている。
【００３１】
掃除機本体１の前部には、電動送風機１２で発生された吸引風によって吸引された塵埃を捕集する集塵部である集塵袋１７が着脱自在に収納される集塵室１８が配置されている。電動送風機室１３と集塵室１８とは、本体下ケース９に設けられた隔壁９ａによって分離されており、この隔壁９ａには、電動送風機室１３と集塵室１８とを連通する連通口（図示せず）が形成されている。
【００３２】
図２及び図３に示すように、掃除機本体１の外郭を形成する本体上ケース１０の上面には、後述する調節部２１が摺動自在に配置されるステージ部１９が設けられている。ステージ部１９の前部及び後部には、本体上ケース１０の外部と本体上ケース１０の内部とを連通するスリット部２０が設けられており、このスリット部２０は、本体上ケース１０の左右方向に設けられている。また、スリット部２０には、スリット部２０の前後方向の縁から掃除機本体１の内部に向かって伸びるガイド部２０ａが設けられている。
【００３３】
図２〜図４に示すように、ステージ部１９には、電動送風機１２の回転数を制御する調節部２１が摺動自在に配置されている。調節部２１の前部には、調節部２１から掃除機本体１の内部に向かって伸びる伝達リブ２２が延設されている。また、調節部２１の後部には、調節部２１から掃除機本体１の内部に向かって嵌合リブ２３が設けられている。そして、調節部２１は、伝達リブ２２及び嵌合リブ２３が、それぞれステージ部１９の前部及び後部に設けられたスリット部２０に挿入されることで、スリット部２０に沿って本体上ケース１０の上面でスライドするように構成されている。また、調節部２１は、ステージ部１９の後部に設けられたスリット部２０に嵌合リブ２３が挿入され、嵌合リブ２３と本体上ケース１０とが嵌合することで、本体上ケース１０の上面に保持されている。
【００３４】
図３〜図５に示すように、掃除機本体１の内部のスリット部２０の下方、すなわち、調節部２１の下方には、電動送風機１２の回転数を制御する電気分品（図示せず）で構成された制御部（図示せず）が配置されている。ここで、本実施の形態においては、電動送風機１２の回転数を制御する制御部（図示せず）として、回転式の可変抵抗器２４を使用している。回転式の可変抵抗器２４の軸部２５には、調節部２１の動作に連動して回転する回転体２６が取り付けられており、この回転体２６には、回転体２６から前方に向かって
伸びるアーム部２７が設けられている。調節部２１と回転体２６との間には、調節部２１の動作に連動して摺動するとともに、調節部２１の動作を可変抵抗器２４に伝達する伝達部２８が設けられている。伝達部２８の上面には、調節部２１の伝達リブ２２の端部と嵌合する嵌合部２９が設けられている。また、伝達部２８には、伝達部２８から回転体２６側に向かって伸びるとともに、回転体２６のアーム部２７に設けられた嵌合凹部３０と嵌合する軸体３１が設けられている。さらに、伝達部２８の両端部には、伝達部２８の下部から回転体２６側に向かって伸びるとともに、後述する溝部３４と係合する係合リブ３２が設けられている。
【００３５】
図３、図４、及び、図６に示すように、回転体２６と伝達部２８との間には、可変抵抗器２４及び回転体２６の上部を覆うカバー体３３が設けられており、このカバー体３３によって、可変抵抗器２４及び回転体２６が配置される空間と伝達部２８が配置される空間とが分離されている。カバー体３３のスリット部２０と対向する位置には、スリット部２０から掃除機本体１内に侵入した水などの液体や塵埃を受ける溝部３４が形成されており、この溝部３４は、スリット部２０と平行に形成されている。また、図４（ｂ）に示すように、溝部３４は、溝部３４の幅Ｔ１がスリット部２０の幅Ｔ２よりも大きくなるように形成されている。さらに、溝部３４は、溝部３４の中央部の高さが最も高く、溝部３４の中央部から溝部３４の両端部にいくにつれて低くなるように形成されている。
【００３６】
図４〜図６に示すように、カバー体３３の溝部３４の前方には、溝部３４と平行にスリット３５が設けられている。また、カバー体３３の溝部３４の後方には、伝達部２８の後端部から回転体２６側に延設された第１位置規制リブ３６と係合する位置規制レール３７が溝部３４と平行に設けられている。さらに、伝達部２８の前端部には、伝達部２８の前端部から前方に向けて延設されるとともに、カバー体３３に設けられた立壁（図示せず）と当接する第２位置規制リブ３８が設けられている。伝達部２８は、伝達部２８の軸体３１がスリット３５内に挿入されるとともに、伝達部２８の係合リブ３２及び第１位置規制リブ３６が、それぞれ溝部３４及び位置規制レール３７と係合することで、溝部３４、スリット３５、及び位置規制レール３７に沿ってカバー体３３の上面を摺動するように構成されている。また、伝達部２８の軸体３１には、軸体３１がスリット３５内に挿入された状態において、カバー体３３と係合する爪部３９が形成されており、伝達部２８は、爪部３９とカバー体３３とが係合することで、カバー体３３の上面に保持されるように構成されている。
【００３７】
以上のように構成された電気掃除機について、以下、図その動作、作用を説明する。
【００３８】
図１〜図３に示すように、使用者により電気掃除機１００の運転が開始されると、電動送風機１２によって吸引風が発生され、吸込具２の下面に構成された吸込口（図示せず）から被清掃面上の塵埃が吸引される。吸込具２によって吸引された塵埃は、延長管３、ホース４、及び、吸気口１ａを介して掃除機本体１内へと流入する。掃除機本体１内に流入した塵埃は、集塵袋１７によって捕集される。塵埃が捕集された後の吸引風は、集塵室１８と電動送風機室１３とを分離する隔壁９ａに設けられた連通口（図示せず）を介して電動送風機１２の内部へと流入する。電動送風機１２の内部へと流入した吸引風は、電動送風機１２に設けられた排出口（図示せず）から電動送風機１２の外周を覆う電動送風機収納ケース１６内へと排出され、その後、掃除機本体１の上面の後部に設けられた排気口１０ａから掃除機本体１の外部へと排出される。
【００３９】
使用者が被清掃面の状況に応じて電動送風機１２の回転数を制御する場合、使用者は掃除機本体１の上面に設けられた調節部２１を掃除機本体１の左右方向にスライドさせることで、電動送風機１２の回転数を制御することができる。すなわち、図５及び図７に示すように、使用者が電動送風機１２の回転数を制御する場合、使用者は、調節部２１を掃除
機本体１の上面に設けられたスリット部２０に沿って掃除機本体１の左右方向にスライドさせる。例えば、図７（ａ）及び図７（ｂ）に示しように、使用者が調節部２１をステージ部１９の中央部からステージ部１９の右端へとスライドさせた場合、調節部２１の伝達リブ２２と伝達部２８の嵌合部２９とが嵌合しているため、調節部２１の動作に連動して伝達部２８が溝部３４の右端へとスライドする。このとき、本実施の形態においては、伝達部２８に設けられた軸体３１がスリット３５内に挿入されているとともに、伝達部２８の係合リブ３２及び第１位置規制リブ３６が、それぞれ溝部３４及び位置規制レール３７と係合しているため、調節部２１の動作に連動して伝達部２８が動作した際に、伝達部２８をカバー体３３の上面で左右方向に確実にスライドさせることができる。また、軸体３１がスリット３５内に挿入された状態において、軸体３１に設けられた爪部３９がカバー体３３と係合しているとともに、伝達部２８の前端部に設けられた第２位置規制リブ３８がカバー体３３の立壁（図示せず）と当接しているため、調節部２１の動作に連動して伝達部２８が左右方向にスライドした際に、伝達部２８がカバー体３３の上面から外れることがなく、調節部２１の動作に連動して伝達部２８を確実に摺動させることができる。
【００４０】
図５及び図７に示すように、調節部２１の動作に連動して伝達部２８が溝部３４の右端に移動すると、伝達部２８の軸体３１が回転体２６のアーム部２７に設けられた嵌合凹部３０と嵌合しているため、伝達部２８の軸体３１が嵌合凹部３０の内壁（図示せず）を押しながら嵌合凹部３０に沿って、嵌合凹部３０の回転体２６側の端部から回転体２６の反対側の端部へと移動する。この動作により、回転体２６が図７（ａ）に示す状態から図７（ｂ）に示す状態へと回転する。回転体２６は、可変抵抗器２４の軸部２５に取り付けられているため、回転体２６の回転動作に連動して可変抵抗器２４の軸部２５が回転し、可変抵抗器２４の抵抗値が変化することで、電動送風機１２の回転数を制御することができる。
【００４１】
ここで、掃除機本体１の上面に設けられたスリット部２０から不意に水などの液体や塵埃が掃除機本体１の内部に侵入した場合について説明する。図３及び図４に示すように、掃除機本体１の上面に設けられたスリット部２０から掃除機本体１の内部に侵入した水などの液体や塵埃は、スリット部２０に設けられたガイド部２０ａによって溝部３４上へと導かれる。このとき、本実施の形態においては、スリット部２０と回転体２６との間に設けたカバー体３３のスリット部２０に対向する位置に、スリット部２０の幅Ｔ２よりも大きな幅を有する溝部３４をスリット部２０と平行に形成しているため、スリット部２０から掃除機本体１の内部に侵入した水などの液体や塵埃を溝部３４上に確実に堆積させることができ、スリット部２０から掃除機本体１の内部に侵入した水などの液体や塵埃が溝部３４以外の範囲に落ちることを確実に防止することができる。
【００４２】
また、図４（ｂ）に示すように、ガイド部２０ａの溝部３４側の端部と溝部３４のガイド部２０ａ側の端部との距離Ｔ３が小さいほど、掃除機本体１の内部に侵入した水などの液体や塵埃が溝部３４以外の範囲に落ちることを確実に防止することができる。また、ガイド部２０ａの溝部３４側の端部と溝部３４の底面との距離Ｔ４が小さいほど、コインやクリップ等がスリット部２０内に侵入した場合であっても、コインやクリップ等を溝部３４上に留まらせることができる。そのため、ガイド部２０ａの溝部３４側の端部と溝部３４の底面との距離Ｔ４としては、コインやクリップ等が掃除機本体１の内部に侵入した場合であっても、コインやクリップ等をガイド部２０ａと溝部３４の底面とで保持できる距離であることが望ましい。
【００４３】
さらに、本実施の形態においては、溝部３４は、溝部３４の中央部の高さが最も高く、溝部３４の中央部から溝部３４の両端部にいくにつれて低くなるように形成されているため、溝部３４上に堆積した水などの液体は、自然と溝部３４上を左右方向に流れ、調節部２１及び伝達部２８の可動範囲外へと流出する。また、図８（ａ）及び図８（ｂ）に示す
ように、伝達部２８に溝部３４と係合する係合リブ３２を設けているため、例えば、使用者が図８（ａ）に示す状態から図８（ｂ）に示す状態へと調節部２１をスライドさせた際、溝部３４上に堆積した水などの液体や塵埃は、調節部２１のスライド動作に連動して、係合リブ３２によって調節部２１及び伝達部２８の可動範囲外へと流出する。
【００４４】
ここで、本実施の形態においては、可変抵抗器２４及び回転体２６の上部を覆うカバー体３３によって、伝達部２８が配置される空間、すなわち、スリット部２０と連通する空間と、可変抵抗器２４及び回転体２６が配置される空間と、が分離されており、調節部２１及び伝達部２８の可動範囲外へと流出した水などの液体や塵埃は、カバー体３３のスリット部２０と連通する空間側に設けられた堆積部４０に堆積するため、調節部２１及び伝達部２８の可動範囲外へと流出した水などの液体や塵埃が可変抵抗器２４及び回転体２６が配置される空間へと侵入することはない。そのため、スリット部２０から掃除機本体１の内部に侵入した水などの液体や塵埃が、可変抵抗器２４などの電気部品（図示せず）で構成された制御部（図示せず）に到達することを十分に防止することができ、電気部品（図示せず）で構成された制御部（図示せず）が機能不全になることを十分に防止することができ、掃除機本体１の電気的不具合を十分に防止することができる。
【００４５】
以上のように、本実施の形態においては、スリット部２０と回転体２６との間に設けたカバー体３３のスリット部２０に対向する位置に、スリット部２０の幅Ｔ２よりも大きな幅を有する溝部３４をスリット部２０と平行に形成しているため、スリット部２０から掃除機本体１の内部に侵入した水などの液体や塵埃を溝部３４上に確実に堆積させることができ、スリット部２０から掃除機本体１の内部に侵入した水などの液体や塵埃が溝部３４以外の範囲に落ちることを確実に防止することができる。そのため、スリット部２０から掃除機本体１の内部に侵入した水などの液体や塵埃が、可変抵抗器２４などの電気部品（図示せず）で構成された制御部（図示せず）に到達することを十分に防止することができ、電気部品（図示せず）で構成された制御部（図示せず）が機能不全になることを十分に防止することができ、掃除機本体１の電気的不具合を十分に防止することができる。
【００４６】
また、本実施の形態においては、スリット部２０にスリット部２０から掃除機本体１の内側に向かって伸びるガイド部２０ａを設けているため、スリット部２０から掃除機本体１の内部に侵入した水などの液体や塵埃をガイド部２０ａによって確実に溝部３４に導くことができる。そのため、スリット部２０から掃除機本体１の内部に侵入した水などの液体や塵埃が溝部３４以外の部位に侵入することを十分に防止することができ、スリット部２０から掃除機本体１の内部に侵入した水などの液体や塵埃が電気部品（図示せず）で構成された制御部（図示せず）に到達することをさらに十分に防止することができるとともに、電気部品（図示せず）で構成された制御部（図示せず）が機能不全になることをさらに十分に防止することができ、掃除機本体１の電気的不具合をさらに十分に防止することができる。
【００４７】
さらに、本実施の形態においては、伝達部２８に設けられた軸体３１がスリット３５内に挿入されているとともに、伝達部２８の係合リブ３２及び第１位置規制リブ３６が、それぞれ溝部３４及び位置規制レール３７と係合しているため、調節部２１の動作に連動して伝達部２８が動作した際に、伝達部２８をカバー体３３の上面で左右方向に確実にスライドさせることができる。
【００４８】
また、本実施の形態においては、軸体３１がスリット３５内に挿入された状態で、軸体３１に設けられた爪部３９がカバー体３３と係合しているとともに、伝達部２８の前端部に設けられた第２位置規制リブ３８がカバー体３３の立壁（図示せず）と当接しているため、調節部２１の動作に連動して伝達部２８が左右方向にスライドした際に、伝達部２８がカバー体３３の上面から外れることがなく、調節部２１の動作に連動して伝達部２８を
確実に摺動させることができる。
【００４９】
さらに、本実施の形態においては、スリット部２０と溝部３４との間に設けた伝達部２８に溝部３４と係合する係合リブ３２を設けているため、使用者が調節部２１をスライド操作する動作に連動して、溝部３４に堆積した水などの液体や塵埃を係合リブ３２によって調節部２１及び伝達部２８の可動範囲外に押し出すことができ、スリット部２０から掃除機本体１の内部に侵入した水などの液体や塵埃が電気部品（図示せず）で構成された制御部（図示せず）に到達することをさらに十分に防止することができる。また、使用者が調節部２１をスライド操作する度に、溝部３４に堆積した水などの液体や塵埃を伝達部２８に設けられた係合リブ３２によって調節部２１及び伝達部２８の可動範囲外に押し出すことができるため、溝部３４上を堆積物のない状態で維持することができ、複数回に亘って水などの液体や塵埃がスリット部から掃除機本体１内に侵入した場合であっても、溝部３４に堆積した水などの液体や塵埃が溝部３４から溢れ出ることがなく、掃除機本体１の内部に浸入した水などの液体や塵埃が可変抵抗器２４などの電気部品（図示せず）で構成された制御部（図示せず）に到達することをさらに十分に防止することができる。そのため、電気部品（図示せず）で構成された制御部（図示せず）が機能不全になることをさらに十分に防止することができるとともに、掃除機本体１の電気的不具合をさらに十分に防止することができる。
【００５０】
また、本実施の形態においては、可変抵抗器２４及び回転体２６の上部を覆うカバー体３３によって、スリット部２０と連通する空間と可変抵抗器２４及び回転体２６が配置される空間とを別体に形成するとともに、カバー体３３のスリット部２０と連通する空間側に調節部２１及び伝達部２８の可動範囲外へと流出した水などの液体や塵埃が堆積する堆積部４０を形成しているため、調節部２１及び伝達部２８の可動範囲外へと流出した水などの液体や塵埃が可変抵抗器２４及び回転体２６が配置される空間へと侵入することはない。そのため、スリット部２０から掃除機本体１の内部に侵入した水などの液体や塵埃が、可変抵抗器２４などの電気部品（図示せず）で構成された制御部（図示せず）に到達することを十分に防止することができ、電気部品（図示せず）で構成された制御部（図示せず）が機能不全になることを十分に防止することができ、掃除機本体１の電気的不具合を十分に防止することができる。
【００５１】
さらに、本実施の形態においては、溝部３４は、溝部３４の中央部の高さが最も高く、溝部３４の中央部から溝部３４の両端部にいくにつれて低くなるように形成されているため、スリット部２０から掃除機本体１の内部に浸入した水などの液体は自然と溝部３４の端部側へと導かれる。そのため、スリット部２０から掃除機本体１の内部に浸入した水などの液体を調節部２１の可動範囲外に押し出すことができ、スリット部２０から掃除機本体１の内部に侵入した水などの液体が可変抵抗器２４などの電気部品（図示せず）で構成された制御部（図示せず）に到達することをさらに十分に防止することができ、電気部品（図示せず）で構成された制御部（図示せず）が機能不全になることをさらに十分に防止することができるとともに、掃除機本体１の電気的不具合をさらに十分に防止することができる。
【産業上の利用可能性】
【００５２】
本発明の電気掃除機は、水などの液体や塵埃がスリット部から掃除機本体の内部に不意に侵入した場合であっても、スリット部から掃除機本体の内部に侵入した水などの液体や塵埃が可変抵抗器や制御回路等の電気部品に接触することがなく、電気部品が機能不全になることを十分に防止でき、掃除機本体の電気的不具合を十分に防止することができるため、家庭用電気掃除機及び産業用電気掃除機の分野・用途に好適に適用することができる。
【符号の説明】
【００５３】
１  掃除機本体
１ａ  吸気口
２  吸込具
３  延長管
４  ホース
５  接続パイプ
６  手元保持部
７  車輪
８  キャスター
９  本体下ケース
９ａ  隔壁
１０  本体上ケース
１０ａ  排気口
１１  蓋体
１２  電動送風機
１３  電動送風機室
１４  前部保持部材
１５  後部保持部材
１６  電動送風機収納ケース
１７  集塵袋
１８  集塵室
１９  ステージ部
２０  スリット部
２０ａ  ガイド部
２１  調節部
２２  伝達リブ
２３  嵌合リブ
２４  可変抵抗器
２５  軸部
２６  回転体
２７  アーム部
２８  伝達部
２９  嵌合部
３０  嵌合凹部
３１  軸体
３２  係合リブ
３３  カバー体
３４  溝部
３５  スリット
３６  第１位置規制リブ
３７  位置規制レール
３８  第２位置規制リブ
３９  爪部
４０  堆積部
１００  電気掃除機
【図１】
2012187340.tif 000003
【図２】
2012187340.tif 000004
【図３】
2012187340.tif 000005
【図４】
2012187340.tif 000006
【図５】
2012187340.tif 000007
【図６】
2012187340.tif 000008
【図７】
2012187340.tif 000009
【図８】
2012187340.tif 000010
【図９】
2012187340.tif 000011